【事件の表示】
　特願２０１３−５１１０８２「マルチポイント協調伝送を設定する方法、基地局、ユーザ端末及び無線通信システム」拒絶査定不服審判事件〔平成２４年１０月２６日国際公開、ＷＯ２０１２／１４４６４５、請求項の数（７）〕について、次のとおり審決する。
【結　論】
　原査定を取り消す。
　本願の発明は、特許すべきものとする。
【理　由】
第１．手続の経緯　
　本願は、平成２４年（２０１２年）４月２３日（パリ条約による優先権主張　２０１１年４月２２日（ＣＮ）中華人民共和国）を国際出願日とする出願であって、手続の概要は以下のとおりである。
平成２５年１０月２１日　国内書面
平成２６年　７月１５日　手続補正書
平成２７年　６月１０日　拒絶理由通知
平成２７年　８月１２日　意見書、手続補正書
平成２７年１２月１１日　拒絶査定
平成２８年　３月１８日　審判請求、手続補正書
平成２８年　５月１２日　前置報告
平成２８年　８月１７日　拒絶理由通知
平成２８年１０月１３日　意見書、手続補正書
第２．特許請求の範囲の記載
　本願の特許請求の範囲の記載は、平成２８年１０月１３日付けの手続補正書の特許請求の範囲に記載された以下のとおりのものである。
「　　【請求項１】
　マルチポイント協調伝送（ＣｏＭＰ）を設定する方法であって、
　基地局（ｅＮＢ）は、無線リソース制御（ＲＲＣ）シグナリングにより、ユーザ端末（ＵＥ）に対して、ＣｏＭＰをサポートする伝送モード及びＣｏＭＰ伝送されるＵＥの情報を通知し、ＣｏＭＰをサポートする伝送モードが伝送モード１０であり、前記伝送モード１０に対応する下り制御情報（ＤＣＩ）フォーマットがＤＣＩ　ｆｏｒｍａｔ　２Ｄである、ことを特徴とする方法。
　　【請求項２】
　前記ＤＣＩ　ｆｏｒｍａｔ　２Ｄは、Ｃ−ＲＮＴＩに基づいて、ＵＥ　ｓｐｅｃｉｆｉｃのサーチスペースに配置されることを特徴とする請求項１に記載の方法。
　　【請求項３】
　前記ＣｏＭＰ伝送されるＵＥの情報がデータ復調に必要な参照信号に関する情報である請求項１又は請求項２に記載の方法。
　　【請求項４】
　前記基地局は、チャネル状態情報（ＣＳＩ）のフィードバックモードをＵＥに通知し、　前記ＵＥは、前記伝送モードおよび前記フィードバックモードに基づいて、ｅＮＢへＣＳＩをフィードバックする、
ことを特徴とする請求項１から請求項３のいずれかに記載の方法。
　　【請求項５】
　マルチポイント協調伝送（ＣｏＭＰ）の設定に用いられる基地局であっ
て、
　無線リソース制御（ＲＲＣ）シグナリングを介して、ユーザ端末（ＵＥ）に対して、ＣｏＭＰをサポートする伝送モード及びＣｏＭＰ伝送されるＵＥの情報を通知し、ＣｏＭＰをサポートする伝送モードが伝送モード１０であり、前記伝送モード１０に対応する下り制御情報（ＤＣＩ）フォーマットがＤＣＩ　ｆｏｒｍａｔ　２Ｄである、
ことを特徴とする基地局。
　　【請求項６】
　マルチポイント協調伝送（ＣｏＭＰ）の設定に用いられるユーザ端末で
あって、
　無線リソース制御（ＲＲＣ）シグナリングを介して、基地局から通知される、ＣｏＭＰをサポートする伝送モード及びＣｏＭＰ伝送されるＵＥの情報を受信し、ＣｏＭＰをサポートする伝送モードが伝送モード１０であり、前記伝送モード１０に対応する下り制御情報（ＤＣＩ）フォーマットがＤＣＩ　ｆｏｒｍａｔ　２Ｄである、
ことを特徴とするユーザ端末。
　　【請求項７】
　マルチポイント協調伝送（ＣｏＭＰ）を設定する無線通信システムであって、
　基地局は、無線リソース制御（ＲＲＣ）シグナリングを介して、ユーザ端末（ＵＥ）に対して、ＣｏＭＰをサポートする伝送モードおよびＣｏＭＰ伝送されるＵＥの情報を通知し、ＣｏＭＰをサポートする伝送モードが伝送
モード１０であり、前記伝送モード１０に対応する下り制御情報（ＤＣＩ）フォーマットがＤＣＩ　ｆｏｒｍａｔ　２Ｄであることを特徴とする無線通信システム。」　
第３．当審の拒絶理由
１．理由１
　平成２８年８月１７日付けで通知した当審の拒絶理由の理由１は、以下のとおりである。
「理由１ 
　本件出願は、特許請求の範囲の記載が下記の点で不備のため、特許法第３６条第６項第１号に規定する要件を満たしていない。 
  
　　　　　　　　　　　　　　　　　記 
  
１．請求項２は請求項１を引用するものであるから、請求項２に係る発明
は、「伝送モード９を拡張した、ＣｏＭＰをサポートする伝送モード」を通知するとともに、「ＤＣＩ　ｆｏｒｍａｔ　２Ｄ」が設けられるものであ
る。 
　発明の詳細な説明には、伝送モード１０又は１１のときに「ＤＣＩ　ｆｏｒｍａｔ　２Ｄ」を使用することは記載されているが、拡張された伝送モード９のときに「ＤＣＩ　ｆｏｒｍａｔ　２Ｄ」を使用することは記載されていない。 
　したがって、請求項２に係る発明は、発明の詳細な説明に記載されたものではない。 
  
２．請求項３は請求項２を引用するものであるから、請求項３に係る発明
は、「伝送モード９を拡張した、ＣｏＭＰをサポートする伝送モード」を通知するとともに、「ＤＣＩ　ｆｏｒｍａｔ　２Ｄ」が設けられるものであ
る。 
　したがって、請求項２に係る発明と同様に、請求項３に係る発明は、発明の詳細な説明に記載されたものではない。」
２．理由１について
　平成２８年８月１７日付けで通知した拒絶理由でいう請求項１−３は、平成２８年３月１８日付けの手続補正書の特許請求の範囲に記載されたもの
で、その記載は以下のとおりである。（以下、平成２８年３月１８日付けの手続補正書の記載を「補正前の…」という。）
「　　【請求項１】
　マルチポイント協調伝送（ＣｏＭＰ）を設定する方法であって、
　基地局（ｅＮＢ）は、無線リソース制御（ＲＲＣ）シグナリングを介し
て、ユーザ端末（ＵＥ）に対して、伝送モード９を拡張した、ＣｏＭＰをサポートする伝送モードおよびＣｏＭＰ伝送されるＵＥの情報を通知する、
ことを特徴とする方法。
　　【請求項２】
　前記ＣｏＭＰをサポートする伝送モードに対応する下り制御情報（ＤＣ
Ｉ）フォーマットとしてＤＣＩ　ｆｏｒｍａｔ　２Ｄが設けられ、前記ＤＣＩ　ｆｏｒｍａｔ　２Ｄに前記ＣｏＭＰ伝送されるＵＥの情報が含まれることを特徴とする請求項１に記載の方法。
　　【請求項３】
　前記ＤＣＩ　ｆｏｒｍａｔ　２Ｄは、Ｃ−ＲＮＴＩに基づいて、ＵＥ　ｓｐｅｃｉｆｉｃのサーチスペースに配置されることを特徴とする請求項２に記載の方法。」
　補正前の請求項１の「伝送モード９を拡張した、ＣｏＭＰをサポートする伝送モード」は、「第２．特許請求の範囲の記載」の請求項１のとおり「伝送モード１０」と補正され、下り制御情報（ＤＣＩ）フォーマットについ
て、補正前の請求項２に「前記ＣｏＭＰをサポートする伝送モードに対応する下り制御情報（ＤＣＩ）フォーマットとしてＤＣＩ　ｆｏｒｍａｔ　２Ｄが設けられ」としていたものを、「第２．特許請求の範囲の記載」の請求項１のとおり「前記伝送モード１０に対応する下り制御情報（ＤＣＩ）フォーマットがＤＣＩ　ｆｏｒｍａｔ　２Ｄである」と補正された。
　また、補正前の請求項３に対応する請求項２は、「第２．特許請求の範囲の記載」のとおり、伝送モードを「伝送モード１０」とする請求項１を引用するものとなった。
　したがって、上記理由１は解消した。
３．理由２
　平成２８年８月１７日付けで通知した当審の拒絶理由の理由２の概要は、本願の請求項１、４−８（平成２８年３月１８日付けの手続補正書）は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができないというものである。
引用例１．Ａｌｃａｔｅｌ−Ｌｕｃｅｎｔ　Ｓｈａｎｇｈａｉ　Ｂｅｌｌ，Ｇｅｎｅｒｉｃ　Ｃｏｎｆｉｇｕｒａｔｉｏｎ　ｏｆ　ＤＬ　ＣｏＭＰ　Ｍｏｄｅｓ，３ＧＰＰ　ＴＳＧ　ＲＡＮ　ＷＧ１　Ｍｅｅｔｉｎｇ　＃５８，Ｒ１−０９３３４９，２００９年８月２８日 
引用例２．Ｐａｎａｓｏｎｉｃ，ＤＣＩ　ｆｏｒｍａｔ　ｄｅｓｉｇｎ　ｆｏｒ　ｎｅｗ　ｔｒａｎｓｍｉｓｓｉｏｎ　ｓｃｈｅｍｅｓ，３ＧＰＰ　ＴＳＧ−ＲＡＮ　ＷＧ１　Ｍｅｅｔｉｎｇ　＃６０，Ｒ１−１０１２５０，２０１０年２月２６日 
４．引用発明
　引用例１には、以下の記載がある。 
「3. Procedure for Downlink Transmission Mode Selection 
 This section provides an outline procedure to support transmission mode selection, as shown in Figure 1. 
 First, the UE's supported transmission mode capabilities, including supported downlink CoMP modes, must be known to the serving eNB by the usual RRC capability signalling. Before the UE begins to perform any CoMP measurements, the serving eNB would send to the UE a CoMP configuration, which includes the CoMP measurement set and also the CoMP transmission mode(s) for which reporting is required. By configuring reporting based on multiple CoMP modes, the eNB can receive feedback to enable it to determine the most appropriate scheme to use for downlink transmissions. 
 The UE will perform the measurements and send feedback to the eNB based on the configured CoMP transmission mode(s). The serving eNB will coordinate with some or all of the other eNBs in the measurement set the selection of the CoMP transmission mode from those configured for reporting, as well as the resource allocation for transmission. Subsequently, the serving eNB may request the UE to perform and feedback the CSI measurement of other transmission modes in order to facilitate switching between modes. 」 
 　また、図１の記載は以下のとおりである。 
　　　　　Figure 1: Procedure for downlink CoMP transmission mode 
  
　したがって、引用例１には次の発明（以下、「引用発明」という。）が記載されているといえる。 
  
 　マルチポイント協調伝送（ＣｏＭＰ）を設定する方法であって、 
 　基地局（ｅＮＢ）は、ユーザ端末（ＵＥ）に対して、ＣｏＭＰをサポートする伝送モード及びパラメータを通知する、 
ことを特徴とする方法。 
 
５．対比
　本願の請求項１−７に係る発明は、平成２８年１０月１３日付けの手続補正書の特許請求の範囲に記載された事項により特定されるものであり、その記載は「第２．特許請求の範囲の記載」のとおりである。
　本願の請求項１に係る発明（以下、「本願発明」という。）と、引用発明とを対比する。
　本願発明の「ＣｏＭＰ伝送されるＵＥの情報」と、引用発明の「パラメータ」とは、ＵＥに対して通知する情報である点で、共通するものである。
　したがって、両者は次の点で一致する。
　マルチポイント協調伝送（ＣｏＭＰ）を設定する方法であって、 
 　基地局（ｅＮＢ）は、ユーザ端末（ＵＥ）に対して、ＣｏＭＰをサポートする伝送モード及び情報を通知する、
ことを特徴とする方法。
　また、次の点で相違する。
　相違点１ 
  本願発明は、「ＣｏＭＰをサポートする伝送モードが伝送モード１０であり、前記伝送モード１０に対応する下り制御情報（ＤＣＩ）フォーマットがＤＣＩ　ｆｏｒｍａｔ　２Ｄである」とするのに対して、引用発明では、伝送モードについて具体的な特定がなく、それに対応する下り制御情報（ＤＣＩ）フォーマットについても特定がない点。
　相違点２ 
　本願発明は無線リソース制御（ＲＲＣ）シグナリングを介して情報を通知するのに対して、引用発明では、そのような特定がされていない点。 
　相違点３ 
　ＵＥに対して通知する情報が、本願発明はＣｏＭＰ伝送されるＵＥの情報であるのに対して、引用発明ではパラメータを通知するが、それが、どのようなものか特定がない点。 
６．相違点の判断
　上記引用例２には、ＣｏＭＰにおいてＤＭＲＳに基づく伝送を行うことが記載されており（4.　DCI　format　design　for　new　DL　transmission　schemes）、下り制御情報（ＤＣＩ）フォーマットについての記載もあるが、ＣｏＭＰをサポートする伝送モードが伝送モード１０であること、及びその伝送モード１０に対応する下り制御情報（ＤＣＩ）フォーマットがＤＣＩ　ｆｏｒｍａｔ　２Ｄであることは、記載も示唆もされていないから、引用発明に引用例２に記載された発明を適用しても、引用発明において、相違点１を本願発明のようにすることはできない。
　したがって、相違点２及び３について検討するまでもなく、本願発明は、引用例１及び２に記載された発明に基づいて、当業者が容易に発明をすることができたものとはいえない。
　本願の請求項２−４は、請求項１を引用するものであり、請求項５−７
も、「伝送モード１０」及び「ＤＣＩ　ｆｏｒｍａｔ　２Ｄ」について、本願発明と同様の特定があるから、それらの請求項も本願発明と同様に、引用例１及び２に記載された発明に基づいて、当業者が容易に発明をすることができたものとはいえない。
７．むすび（当審の拒絶理由について）
　以上のとおり、平成２８年８月１７日付けで通知した当審の拒絶理由は、いずれも補正によって解消した。
第４．原査定の理由の概要
　原査定の理由の概要は、本願の各請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができないというものである。
引用文献等１．Ｐａｎａｓｏｎｉｃ，ＤＣＩ　ｆｏｒｍａｔ　ｄｅｓｉｇｎ　ｆｏｒ　ｎｅｗ　ｔｒａｎｓｍｉｓｓｉｏｎ　ｓｃｈｅｍｅｓ［ｏｎｌｉｎｅ］，３ＧＰＰ　ＴＳＧ−ＲＡＮ　ＷＧ１＃６０　Ｒ１−１０１２５０，インターネット＜ＵＲＬ：ｈｔｔｐ：／／ｗｗｗ．３ｇｐｐ．ｏｒｇ／ｆｔｐ／ｔｓｇ＿ｒａｎ／ＷＧ１＿ＲＬ１/ＴＳＧＲ１＿６０/Ｄｏｃｓ／Ｒ１−１０１２５０．ｚｉｐ＞，２０１０年２月１６日
引用文献等２．３ＧＰＰ，ＴＳ　３６．２１３　Ｖ１０．１．０　（２０１１−０３），Ｐｈｙｓｉｃａｌ　ｌａｙｅｒ　ｐｒｏｃｅｄｕｒｅｓ　（Ｒｅｌｅａｓｅ　１０），２０１１年３月３０日，Ｐａｇｅ．２３−２７，ＵＲＬ，ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．２１３／３６２１３−ａ１０．ｚｉｐ
引用文献等３．３ＧＰＰ，ＴＳ　３６．３３１　Ｖ１０．１．０　（２０１１−０３），Ｒａｄｉｏ　Ｒｅｓｏｕｒｃｅ　Ｃｏｎｔｒｏｌ　（ＲＲＣ）；　Ｐｒｏｔｏｃｏｌ　ｓｐｅｃｉｆｉｃａｔｉｏｎ　（Ｒｅｌｅａｓｅ　１０），２０１１年３月３０日，ｐａｇｅ．１６０−１６１，ＵＲＬ，ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．３３１／３６３３１−ａ１０．ｚｉｐ
引用文献等４．３ＧＰＰ，ＴＳ　３６．２１２　Ｖ１０．１．０　（２０１１−０３），Ｍｕｌｔｉｐｌｅｘｉｎｇ　ａｎｄ　ｃｈａｎｎｅｌ　ｃｏｄｉｎｇ　（Ｒｅｌｅａｓｅ　１０），２０１１年３月３０日，Ｐａｇｅ．５５−７１，ＵＲＬ，ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．２１２／３６２１２−ａ１０．ｚｉｐ
引用文献等５．国際公開第２０１１／０４３３２８号
　上記引用文献１−５には、ＣｏＭＰをサポートする伝送モードが伝送モード１０であること、及びその伝送モード１０に対応する下り制御情報（ＤＣＩ）フォーマットがＤＣＩ　ｆｏｒｍａｔ　２Ｄであることは、記載も示唆もされていないから、本願の各請求項に係る発明は、上記引用文献１−５に基づいて当業者が容易に発明をすることができたものとすることはできな
い。
第５　むすび
　以上のとおり、本願の請求項１−７に係る発明は、引用文献等１−５に記載された発明に基いて、当業者が容易に発明をすることができたものとすることができないから、原査定の理由によっては、本願を拒絶することはできない。
　また、他に本願を拒絶すべき理由を発見しない。
　よって、結論のとおり審決する。